(57)【要約】【課題】シートに対するフィット性を容易に高めることができるシートカバー取付構造、シートカバー取付方法などを提供することを目的とする。【解決手段】複数のカバー部材11，12，13，14を縫い合わせて切替ライン15，16，17を形成したシートカバー本体10の縫代部19により切替ライン15，16，17に沿った長尺の袋状部を形成する。これらの袋状部に芯棒20を挿入し、芯棒20に紐状体24，25，26を結束する。紐状体24，25，26をシート27に挿通したシートカバー取付工具30によりシート27の反対側に引き出す。引き出した紐状体24，25，26を引っ張ってシート27に止める。【選択図】図１
2014000322.tif 000002
【特許請求の範囲】
【請求項１】
シートに装着される複数のカバー部材の縫代部を縫い合わせたシートカバー本体と、
シートカバー本体の縫代部に組み込まれた芯棒と、
芯棒に結束されるとともに穿孔してシートの反対側に引き出されてシートに止められた紐状体と
を具備したことを特徴とするシートカバー取付構造。
【請求項２】
複数のカバー部材を縫い合わせたシートカバー本体の縫代部により長尺の袋状部を形成し、
袋状部に芯棒を挿入し、
芯棒に紐状体を結束し、
紐状体をシートに挿通したシートカバー取付工具によりシートの反対側に引き出し、
引き出された紐状体を引っ張ってシートに止める
ことを特徴とするシートカバー取付方法。
【請求項３】
シートの厚みよりも大きな長さを有する細長く形成された工具本体と、
工具本体の基端側に設けられた把持部と、
工具本体の先端に設けられてシートを貫通可能の尖端と、
尖端よりやや把持部側から把持部側に向かって切り込み形成されて、請求項１または２記載の芯棒に結束された紐状体の途中部を引っ掛けてシートの反対側に押し出す引掛溝と
を具備したことを特徴とするシートカバー取付工具。
【発明の詳細な説明】
【技術分野】
【０００１】
本発明は、車輌などのシートに取り付けられるシートカバー取付構造、シートカバーを取り付けるシートカバー取付方法およびシートカバー取付工具に関する。
【背景技術】
【０００２】
車輌用シートカバーの周縁部に沿って間隔をあけて複数の孔を設け、車輌用シートのフレームにおいて上記複数の孔に対応する位置に折曲げ可能の突出部を設け、これらの突出部をシートカバーの孔に挿入の上、曲げることによって複数の孔を係止するシートカバー固定方法がある（例えば、特許文献１参照）。
【０００３】
また、シートカバーの開き口一側端縁に縫い付けられる雄部材と、開き口の他側端縁に縫い付けられる雌部材とを嵌め合わせる際に、締結させる個所のシートカバーが面一状態で連続しているように感じられるようにしたシートカバー締結構造がある（例えば、特許文献２参照）。
【０００４】
これらのシートカバー固定方法およびシートカバー締結構造は、シートカバーの周縁部の固定または締結であるため、シートカバー中央部分のフィット性は改善できない。
【０００５】
一方、シートカバーの中央部分に紐部材を取り付け、この紐部材をシートのパッドに予め形成された貫通孔に挿入しながらシートカバーをパッドにカバーリングし、このカバーリングしたシートカバーの紐部材をパッドに掛け留めることで、シートカバーをパッドに係着させるシートカバー係着構造がある（例えば、特許文献３参照）。
【０００６】
さらに、所定の立体形状に成形された背もたれ部本体と、複数の表皮片を縫合して成る表皮部材と、背もたれ部本体内に延設されたフレームと、表皮部材の縫合部位を背もたれ部本体内に引込みつつフレームと連結可能な連結手段とを有する車輌用シートの外表面を覆いつつ装着される車輌用シートカバーにおいて、シートカバー本体と、このシートカバー本体のフレームに対応する位置に延設され、固定用ワイヤを保持可能な袋体と、この袋体で保持された固定用ワイヤを背もたれ部本体内に引き込みつつ背もたれ部本体内のフレームと連結可能な取付用連結手段とを具備したシートカバーおよびその装着方法がある（例えば、特許文献４参照）。
【先行技術文献】
【特許文献】
【０００７】
【特許文献１】特開平０８−１３１６７１号公報
【特許文献２】特開２０１０−０６８９０１号公報
【特許文献３】特開２０１１−１２１５７１号公報
【特許文献４】特開２００７−０８９８６９号公報
【発明の概要】
【発明が解決しようとする課題】
【０００８】
特許文献３のシートカバー係着構造は、シートカバー取付相手のパッド側にその厚み方向を貫通する貫通孔が予め形成されている構造を前提としており、シートカバー取付相手に貫通孔が予め形成されていない場合は、シートに対するフィット性の向上は容易でない。
【０００９】
特許文献４の車輌用シートカバーおよびその装着方法は、車輌用シートに装着された際の見栄えがよいとともに、車輌用シートとのずれを防止し得るなどの点で優れているが、シートカバー取付相手の背もたれ部本体内に延設されたフレーム構造を前提とするので、その特定のフレーム構造が背もたれ部本体内に形成されていなければ、特許文献３と同様にシートに対するフィット性の向上は容易でない。
【００１０】
本発明は、このような点に鑑みなされたもので、シートに対するフィット性を容易に高めることができるシートカバー取付構造、シートカバー取付方法およびシートカバー取付工具を提供することを目的とする。
【課題を解決するための手段】
【００１１】
請求項１に記載された発明は、シートに装着される複数のカバー部材の縫代部を縫い合わせたシートカバー本体と、シートカバー本体の縫代部に組み込まれた芯棒と、芯棒に結束されるとともに穿孔してシートの反対側に引き出されてシートに止められた紐状体とを具備したシートカバー取付構造である。
【００１２】
請求項２に記載された発明は、複数のカバー部材を縫い合わせたシートカバー本体の縫代部により長尺の袋状部を形成し、袋状部に芯棒を挿入し、芯棒に紐状体を結束し、紐状体をシートに挿通したシートカバー取付工具によりシートの反対側に引き出し、引き出された紐状体を引っ張ってシートに止めるシートカバー取付方法である。
【００１３】
請求項３に記載された発明は、シートの厚みよりも大きな長さを有する細長く形成された工具本体と、工具本体の基端側に設けられた把持部と、工具本体の先端に設けられてシートを貫通可能の尖端と、尖端よりやや把持部側から把持部側に向かって切り込み形成されて、請求項１または２記載の芯棒に結束された紐状体の途中部を引っ掛けてシートの反対側に押し出す引掛溝とを具備したシートカバー取付工具である。
【発明の効果】
【００１４】
請求項１記載の発明によれば、シートカバー本体の複数のカバー部材間の縫代部に組み込んだ芯棒に紐状体を結束するとともに、この紐状体を穿孔したシートの反対側に引き出してシートに止めるシートカバー取付構造によって、複数のカバー部材の縫代部をシートに容易に密着させることができ、シートに対するフィット性を容易に高めることができる。
【００１５】
請求項２記載の発明によれば、複数のカバー部材を縫い合わせたシートカバー本体の縫代部により長尺の袋状部を形成し、袋状部に芯棒を挿入するので、複数のカバー部材の縫代部間に芯棒を容易に組み込むことができ、さらに、この芯棒に結束した紐状体を、シートに挿通したシートカバー取付工具によりシートの反対側に引き出し、引き出された紐状体を引っ張ってシートに止めるので、シートカバー取付工具を用いてシートに挿通した紐状体により芯棒をシート側に引き寄せて、複数のカバー部材の縫代部をシートに容易に密着させることができ、シートに対するフィット性を容易に高めることができる。
【００１６】
請求項３記載の発明によれば、シートカバー取付工具の工具本体の先端に設けられた尖端よりやや把持部側から把持部側に向かって切り込み形成された引掛溝により、芯棒に結束された紐状体の途中部を引っ掛けてシートの反対側に押し出すので、紐状体をシートに容易に挿通でき、紐状体が結束された芯棒をシート側に引き寄せて、複数のカバー部材の縫代部をシートに容易に密着させることができ、シートに対するフィット性を容易に高めることができる。
【図面の簡単な説明】
【００１７】
【図１】本発明に係るシートカバー取付構造およびシートカバー取付方法の一実施の形態を示す説明図であり、（ａ）はシートカバー本体の裏面にある縫代部に芯棒を通す工程、（ｂ）は芯棒に紐状体を結束する工程、（ｃ）はシートカバー取付工具により紐状体をシートに刺し込む工程、（ｄ）は紐状体をシートの背面側に挿通した工程、（ｅ）は複数の紐状体をシートの背面側に挿通した工程、（ｆ）はシートの背面で紐状体を止める工程、（ｇ）は、完成状態を示す。
【図２】同上取付構造および取付方法における縫代部に芯棒を通した状態を示すシートカバー断面図である。
【図３】本発明に係るシートカバー取付工具の一実施の形態を示す正面図である。
【図４】同上取付工具の使用状態を示す拡大図である。
【発明を実施するための形態】
【００１８】
以下、本発明を、図１乃至図４に示された一実施の形態に基いて詳細に説明する。
【００１９】
図１は、シートカバーSCの取付方法を示し、図１（ａ）に示されるようにシートカバー本体10は、シートの背もたれ部に装着される複数のカバー部材11，12，13，14を縫い合わせることで、シートの背もたれ部の切替ラインに合わせた切替ライン15，16，17が形成されている。カバー部材12，13，14の折返し部分には、シートの背もたれ部の背面側に位置するカバー部材18がファスナなどにより開閉可能に取り付けられている。
【００２０】
図２に示されるように、シートカバー本体10の切替ライン15，16，17には、これらの切替ライン15，16，17に沿った縫代部19があるので、この縫代部19に針金などの芯棒20を組み込む。
【００２１】
例えば、図２は、カバー部材11，12を縫い合わせて切替ライン15を形成するための縫代部19であるが、この縫代部19により切替ライン15に沿った長尺の袋状部21を縫合部22により形成し、この袋状部21に芯棒20を挿入する。この袋状部21の中央部および左右両端部は、縫い付けないように開放して、袋状部21の３箇所に、芯棒20が外部に露出する芯棒露出口23を設ける。芯棒20の中央部20aは直線状のままであるのに対して、両端部にはループ状部20b，20cを曲げ加工しておく。
【００２２】
図１（ｂ）に示されるように、シートカバー本体10に組み込まれた芯棒20の中央部20aと左右両端のループ状部20b，20cとに、それぞれ、紐またはゴム紐などの紐状体24，25，26の中央部を結束する。
【００２３】
図１（ｃ）から（ｄ）に示されるように、シート27の背もたれ部27aに設けられた切替ライン27bは穿孔可能な場所にあり、この切替ライン27bに挿通したシートカバー取付工具30により、紐状体24を背もたれ部27aを通して反対側に引き出す。
【００２４】
図３および図４は、シートカバー取付工具30を示し、シート27の背もたれ部27aの厚みよりも大きな長さを有する細長く形成された工具本体31と、この工具本体31の基端側に設けられた把持部32と、工具本体31の先端に設けられてシート27の背もたれ部27aを貫通可能の尖端33と、この尖端33よりやや把持部32側であってシート27の背もたれ部27aを貫通可能な位置から把持部32側に向かって鉤形に切り込み形成された引掛溝34とを具備している。
【００２５】
この引掛溝34は、図４に示されるように工具本体31の長手方向に対し直交する方向に切り込み形成されて紐状体24，25，26を挿入する溝部34aと、工具本体31の長手方向に対し平行にかつ尖端33とは反対方向に切り込み形成されて紐状体24，25，26を掛ける溝部34bとを備え、芯棒20に結束された紐状体24，25，26の途中部を引っ掛けてシート27の背もたれ部27aの反対側に押し出すことが可能である。
【００２６】
図１（ｅ）に示されるように、芯棒20の中央部に結束した紐状体24と同様に、左右両端部の紐状体25，26もシート27の背もたれ部27aの背面側に引き出すようにする。
【００２７】
一方、シート27の背もたれ部27aの前面側では、シートカバー本体10の切替ライン15などをシート27の背もたれ部27aの対応する切替ライン27bなどに位置合わせしながら、背もたれ部27aの背面側に引き出された各紐状体24，25，26を引っ張って、芯棒20をシート27の背もたれ部27aの前面にある切替ライン27bに引き寄せる。
【００２８】
図１（ｆ）に示されるように、これらの各紐状体24，25，26をそれぞれ２つ穴ボタン状のストッパ35に通し、これらのストッパ35を介して各紐状体24，25，26をそれぞれ結束することで、シート27の背面に各ストッパ35を介し各紐状体24，25，26を止める。なお、ストッパ35は、ボタン状でなくてもよく、要する各紐状体24，25，26の２本の紐どうしを結束できるものであれば形状は限られない。さらに、各紐状体24，25，26の２本の紐どうしを直に結んでもよいので、ストッパ35またはそれに類するものは、なくてもよい。
【００２９】
図１（ｇ）に示されるように、シートカバー本体10の全ての切替ライン15，16，17を、同様にシート27の背もたれ部27aの対応箇所の切替ラインに位置決めして縫い付け、カバー部材18を閉じることにより、シートカバーSCの取り付けは完成する。
【００３０】
このように、シートカバー取付構造は、シート27に装着される複数のカバー部材11，12，13，14を縫い合わせて切替ライン15，16，17が形成されたシートカバー本体10と、シートカバー本体10の切替ライン15，16，17に沿った縫代部19に組み込まれた芯棒20と、芯棒20に結束されるとともにシート27を貫通して反対側に引き出されてシート27に止められた紐状体24，25，26とを具備したものである。
【００３１】
次に、図示された実施の形態の効果を説明する。
【００３２】
上記のシートカバー取付構造によれば、シートカバー本体10の複数のカバー部材11，12間などの縫代部19に組み込んだ芯棒20に紐状体24，25，26を結束するとともに、これらの紐状体24，25，26をシート27を穿孔して反対側に引き出し、引き出された紐状体24，25，26をストッパ35などを介してシート27に止めるシートカバー取付構造によって、従来のようにシートに予め形成された貫通孔や、シート内の特定のフレーム構造などの、シートカバー取付相手のシート構造上の制限を受けることがなく、さらに、シート27に装着される複数のカバー部材11，12などを縫い合わせて切替ライン15などが形成されたシートカバー本体10にあって切替ライン15などに沿った縫代部19に、紐状体24，25，26を結束するための芯棒20を組み込むので、この芯棒20により、複数のカバー部材11，12などを縫い合わせて形成した切替ライン15などをシート27の切替ライン27bなどに容易に密着させることができ、シート27に対するフィット性を容易に高めることができる。
【００３３】
また、上記のシートカバー取付方法によれば、複数のカバー部材11，12などを縫い合わせて切替ライン15などを形成したシートカバー本体10の縫代部19により切替ライン15などに沿った長尺の袋状部21を形成し、袋状部21に芯棒20を挿入するので、複数のカバー部材11，12などを縫い合わせて形成した切替ライン15などに芯棒20を容易に組み込むことができ、さらに、この芯棒20に結束した紐状体24，25，26を、シート27に挿通したシートカバー取付工具30によりシート27の反対側に引き出し、引き出された紐状体24，25，26を引っ張ってシート27に止めるので、従来のように予め形成された貫通孔や特定のフレーム構造などを備えていないシート27であっても、シートカバー取付工具30を用いてシート27に挿通した紐状体24，25，26により芯棒20をシート27側に引き寄せて、複数のカバー部材11，12などを縫い合わせて形成した切替ライン15などをシート27の切替ライン27bなどに容易に密着させることができ、シート27に対するフィット性を容易に高めることができる。
【００３４】
さらに、上記のシートカバー取付工具30は、工具本体31の先端に設けられた尖端33よりやや把持部32側であってシート27を貫通可能な位置から把持部32側に向かって切り込み形成された引掛溝34により、芯棒20に結束された紐状体24，25，26の途中部を引っ掛けてシート27の反対側に押し出すので、従来のように予め形成された貫通孔や特定のフレーム構造などを備えていないシート27であっても、紐状体24，25，26をシート27に容易に挿通でき、シート構造上の制限を受けることがなく、紐状体24，25，26が結束された芯棒20をシート27側に引き寄せて、シートカバー本体10の複数のカバー部材11，12などを縫い合わせて形成した切替ライン15などをシート27の切替ライン27bなどに容易に密着させることができ、シート27に対するフィット性を容易に高めることができる。
【産業上の利用可能性】
【００３５】
本発明は、シートカバー取付構造、シートカバー取付方法およびシートカバー取付工具の製造、販売または使用する事業者にとって産業上の利用可能性がある。
【符号の説明】
【００３６】
SC    シートカバー
10    シートカバー本体
11，12，13，14    カバー部材
19    縫代部
20    芯棒
21    袋状部
24，25，26    紐状体
27    シート
30    シートカバー取付工具
31    工具本体
32    把持部
33    尖端
34    引掛溝
【図１】
2014000322.tif 000003
【図２】
2014000322.tif 000004
【図３】
2014000322.tif 000005
【図４】
2014000322.tif 000006